(57)【要約】【課題】軽量で使いやすく、打診する検査面を傷つけにくい打診具の提供。【解決手段】本発明の打診具１は、ロッド３とヘッド５とを備え、このヘッド５が主材料として樹脂が用いられてなる。このヘッド５本体は、中実の樹脂からなる方がより好ましい。また、上記樹脂は、硬度がショアＤで７０以上９５以下であることがより好ましい。さらに、上記樹脂が上記ロッドの先端に溶融後固化されて上記ヘッドが形成されてなることが好ましい。この打診具１は、ヘッド５が軽いので、長い時間使用されても疲れにくい。打診具１では、検査対象面が傷つきやすいタイル等の場合でも検査対象が傷つけられにくい。この打診具１は、ヘッド５とロッド３とを一体化させた構造に形成されることによって、耐久性にも優れている。【選択図】  図１
2005024411.tif 000002
【特許請求の範囲】
【請求項１】
ヘッドとロッドとを備え、このヘッドが主材料として樹脂が用いられてなる打診具。
【請求項２】
上記ヘッド本体が中実の樹脂からなる請求項１に記載の打診具。
【請求項３】
上記樹脂のショアＤ硬度が７０以上９５以下である請求項１又は２に記載の打診具。
【請求項４】
上記樹脂が上記ロッドの先端に溶融後固化されて上記ヘッドが形成されてなる請求項１から３のいずれかに記載の打診具。
【発明の詳細な説明】
【０００１】
【発明の属する技術分野】
本発明は、建築物の仕上げ面の浮き等を検知するために使用される打診具に関するものである。
【０００２】
【従来の技術】
建築物等に仕上げ層として施工されたタイルやモルタル等は経年変化により浮きが発生することがある。これが放置されると壁面から剥離落下する恐れがあり、危険である。そのため、壁面等の仕上げ層は、定期的に剥離の有無が検査される。
【０００３】
この建物の仕上げ層の剥離の有無を検査するために自動検査装置も開発されている。しかし、検査精度、効率性等の面から人手による打診具が主に使用されている。この打診具による方法では、面倒な準備もなく直ぐに取りかかることができる。この検査に、それほど多くの熟練は必要とされない。また検査で微妙な打診音の差も捉えられる。
【０００４】
打診具は、ヘッド（「打診子」とも呼ばれる）に金属製の球体を備えている。また打診具のロッド（「柄」とも呼ばれる）は、検査の能率の面から、ある程度長く形成されている。打診具は、取り扱いやすいように比較的軽量であることが求められる。このため、ロッドには、軽量なパイプが使用されている。打診具による検査は、ヘッドを検査対象面上に接触させて手で左右に走らせながら接触音の変化を捉えることからなる。この走査中にヘッドで検査面をタッピングされることがある。
【０００５】
【発明が解決しようとする課題】
この打診検査では、長時間かかるとき等では検査する人が疲れる。軽量の打診具でも検査する人には次第に重く感じられてくる。また、人が常に機械的な動作を繰り返すことはむつかしい。検査面に予想外の衝撃が与えられることもあり得る。金属製ヘッドを備える打診具は、先端に質量を持つため、ロッドに衝撃を受けたり繰り返し長期間使用されると先端が折れることがある。また、走査の速度や、タッピングの仕方によっては、光沢のあるタイルの検査面等が傷つけられる場合がある。
【０００６】
本発明は、このような実情に鑑みてなされたものであり、軽量で使いやすく、打診する検査面を傷つけにくい打診具の提供を目的とするものである。
【０００７】
【課題を解決するための手段】
本発明に係る打診具は、ヘッドとロッドとを備え、このヘッドが主材料として樹脂が用いられてなる。この打診具は、軽くて使いやすく、タイル等の検査面を傷つけにくい。
【０００８】
上記ヘッド本体が中実の樹脂からなることがより好ましい。この打診具は、建築物の仕上げ面の剥離箇所を検査しやすく、検査対象面を傷つけにくい。
【０００９】
さらに、上記樹脂のショアＤ硬度が７０以上９５以下であることがより好ましい。この打診具は、検査しやすく耐久性も優れている。
【００１０】
さらに、上記樹脂が上記ロッドの先端に溶融後、固化されて上記ヘッドが形成されてなることが好ましい。この打診具は、楽に確実な検査でき、壊れにくい。
【００１１】
【発明の実施の形態】
以下、適宜図面が参照されつつ、好ましい実施形態に基づいて本発明が詳細に説明される。
【００１２】
図１及び図２には、本発明の一実施形態にかかる打診具１が示されている。図１は打診具１が示された正面図である。図２は、打診具１の一部が示された断面図である。この打診具１は、中空のロッド３と、このロッド３の先端に固定された樹脂製で球状のヘッド５とを備えている。この図では、複数段の入れ子式のロッドが引き延ばされている途中の状態が示されている。このロッド３の後端には、手で握りやすく被覆されたグリップ７が配されている。
【００１３】
ヘッド５には、樹脂が主材料として用いられる。このヘッド５の材料には、主材料の樹脂に他の材料が併用されてもよい。例えば、短繊維、織布、セラミック、木質材及び金属製の、中空体若しくは線条や板状補強体である。これらの材料がヘッド５の骨格やロッド３とヘッド５とを結合させる補助材等として併用されることがある。また、付帯的部材、例えば、飾り等としてヘッド５の頂部等に樹脂以外の材料が配されてもよい。しかし、いずれの場合でも、樹脂がヘッド５本体に用いられる材料の体積の５０％以上を占めている。この打診具は、軽量化することができ検査面を傷つけない。
【００１４】
用いられる樹脂の種類は、検査対象を走査して聴き取れる音響を生じれば特に限定されない。しかし、打診音の響きのよさ及び耐久性の観点から、ヘッド５用樹脂はショアＤ硬度が７０以上９５以下であることが好ましい。より好ましくはショアＤ硬度が８０以上９５以下である。
【００１５】
用いられる樹脂としては、ポリ塩化ビニル、ポリエチレン、塩素化ポリエーテル、ポリスチレン、スチレンアクリロニトリル、アクリロニトリル−ブタジエン−スチレン共重合体、ポリプロピレン、ポリアセタール、ポリメチルメタクリレート、ポリアミド、ポリカーボネート、アクリル樹脂、フッ化ビニリデン樹脂、エポキシ樹脂、不飽和ポリエステル樹脂等が例示される。なかでも、コスト及び性能面から硬質ポリ塩化ビニル、耐衝撃性ポリスチレン、アクリロニトリル−ブタジエン−スチレン共重合体、ポリプロピレン、耐衝撃性アクリル樹脂、ポリカーボネート、繊維強化エポキシ樹脂等が好適に用いられる。
【００１６】
これらの樹脂は単独又は併用して用いることができる。例えば、ヘッド５の内側に安価な汎用樹脂が充填され、その表層に耐衝撃又は耐摩耗性に優れた樹脂を用いてもよい。場合によっては、樹脂の球体の上に金属メッキを施してもよい。また、汎用の樹脂を用いてもガラス繊維、カーボン繊維又は金属繊維を混ぜることにより耐摩耗性を向上させてもよい。この混合により、ヘッド５の硬度が高硬度樹脂を用いた場合と同等又はそれ以上になる場合がある。
【００１７】
一般に表面が樹脂製のヘッド５は、モルタルの粗い仕上げ面等では金属製のヘッドに比べて耐摩耗性の面で劣る。しかし、上記のように高硬度耐摩耗性の樹脂を用いたり、表面に耐摩耗性樹脂を被覆する等により遜色ないものとなり得る。
【００１８】
図２に示されているように、このヘッド５は、ロッド３の先端に加熱されて溶融された樹脂を固化させて球状に形成されている。この成形によれば、ロッド３とヘッド５とが構造的に一体化されるため金属と樹脂との接合にはより好ましい。このヘッド５は、通常、ロッド３が差し込まれた金型に樹脂が注入された後固化して形成される。この成形は通常、熱可塑性樹脂が用いられ、射出成形法、移送成形法等によって行われる。
【００１９】
図２で、ロッド３の先端には、ロッド３の径方向に貫通する孔Ｈが設けられている。射出成形等で溶融された樹脂がロッド３の内部に注入される。この樹脂は、ロッド３の先端開口部と上記孔Ｈとを通ってロッド３内部に浸入させられる。この樹脂が冷却されると樹脂が固化しヘッド５本体を形成する。このヘッド５本体とロッド３とがこの樹脂により固着されることになる。この打診具１は、このように構成することによって、ロッド３が金属製でも構造的に一体化しているので耐久性に優れている。
【００２０】
このロッド３の材質は、ステンレス、繊維強化樹脂等、既知の入れ子式パイプと同等である。図１に示されている打診具１のロッド３は、ステンレス製で入れ子式５段のパイプ（Ｐ１からＰ５）からなる。このパイプの各段は、先側Ｐ１が細く後側（Ｐ５）に向けて除々に拡径しており、これによってパイプ同士の分離が防止されている。
【００２１】
入れ子式パイプが用いられることによりロッド３の長さが伸縮できるため、携帯及び保管に便利である。また検査のため使用されるときにはパイプの引き出し長さを適当な長さに調節できる。なお、ロッド３は、単体のパイプから形成されてもよい。この場合も長さと質量との兼ね合いから先細り形状の方が好ましい。
【００２２】
特にロッド３の後端部（Ｐ５）には、手で握られるグリップ７が位置している。ロッド３が金属材料からなる場合は特に、グリップ７が樹脂、ゴム、織布、不織布等からなる被覆材で被覆されることが好ましい。この被覆によりロッド３は、滑りにくく、握りやすくなる。この打診具１は、打診音も聴きやすく、使いやすい。
【００２３】
図３は、本発明の他の実施形態に係る打診具１１が示された部分拡大断面図である。この打診具１１のヘッド１３は、ロッド１５の先端Ｔに一体的に接合されている。先端Ｔには径方向に特別の孔は設けられていない。ヘッド１３の材質は、ロッド１５がステンレス等、金属にも接着性のよい樹脂、例えばエポキシ樹脂である。硬度を高めるためにこの樹脂にガラス繊維、カーボン繊維等が混合されることが好ましい。
【００２４】
このヘッド１３は、注型法により形成される。この成形は、まず上記先端Ｔが差し込まれた成形型に、主剤と硬化剤とが混合されたエポキシ樹脂が注入される。この樹脂が反応して硬化した後、成形されたヘッド１３がロッド１５と一体に取り出される。この成形中にエアを噛み込まないように、また上記先端Ｔの内側に樹脂が浸入するように、樹脂の粘度等が調整される。このヘッド１３の樹脂材料は金属との接着性に優れている。図３の例では、先端Ｔとヘッド１３の樹脂との接触面積を大きくするためにヘッド１３の裾部Ｓをロッド１５側に延在させている。この打診具１１も、軽量でタイル等の検査面を傷つけにくく、検査作業で疲れにくい。
【００２５】
図４には、本発明のさらに他の実施形態に係る打診具１９の一部が示されている。この打診具１９のヘッド２１は、ロッドとは別に作製され、ロッドに取り付けられるように形成されている。図４（ａ）は、対向する面で貼り合わされてヘッドが形成される半割れの片側のヘッド片２１が示された平面図である。図４（ｂ）は、ヘッド片２１の正面図、図４（ｃ）は、この右側面図が示されている。
【００２６】
このヘッド片２１は、ロッド先端Ｐが填る凹溝Ｍを備えている。この凹溝Ｍは、ヘッド片２１の中心側でロッド径より拡大されている。図４（ｂ）及び図４（ｃ）には、この凹溝に填るロッドが二点鎖線で示されている。この拡大溝に対応させて、ロッドの先端Ｐに先太り部Ｆが形成されている。この先太り部Ｆは、金属製薄板の接合、アルミ箔、樹脂含浸されたアラミド繊維、カーボン繊維の積層接着、エポキシ樹脂による肉盛り等によって形成される。
【００２７】
このようにして形成されたロッド先端Ｐとヘッド片２１とを填め合わせ、平坦面に接着剤が塗布された一対のヘッド片２１を重ね合わせる。このようにして形成された球状のヘッドは先細りのロッド先端Ｐに接合されても抜けにくい。この打診具は、軽量で扱いやすく、タイル等の検査面を傷つけにくい。
【００２８】
【発明の効果】
以上説明されたように、本発明の打診具は、軽量なので作業性がよい。また、検査される壁面等が傷つけられることが防止される。しかも、十分な耐久性も備えている。
【図面の簡単な説明】
【図１】図１は、本発明の一実施形態にかかる打診具が示された正面である。
【図２】図２は、図１の打診具の一部が示された断面図である。
【図３】図３は、本発明の他の実施形態に係る打診具が示された断面図である。
【図４】図４は、本発明のさらに他の実施形態に係る打診具が示された正面図及び側面図である。
【符号の説明】
１、１１、１９・・・打診具
３、１５・・・ロッド
５、１３・・・ヘッド
７・・・グリップ
【図１】
2005024411.tif 000003
【図２】
2005024411.tif 000004
【図３】
2005024411.tif 000005
【図４】
2005024411.tif 000006